(57)【特許請求の範囲】
【請求項１】
上面に位置決め用の突起を有する基盤と、この基盤の上にネジなどで固定され上面にパネルが配置されるパネル位置決め部材と、タイルの配列に対応するタイル挿入孔を形成したタイル位置決め部材と、目地部に対応する箇所に位置させて前記タイル位置決め部材に適宜間隔で取り付けたタイル係止用の弾性部材とで構成され、前記タイル位置決め部材の側縁に切欠きを形成し、この切欠きに前記突起を係止してパネル位置決め部材に被せるようにして、パネルが配置されている基盤上にタイル位置決め部材をセットすることを特徴とするタイル接着冶具。
【請求項２】
タイル位置決め部材は、積み重ね可能な基盤上に取り付けたパネル位置決め部材上に配設される請求項１記載のタイル接着治具。
【請求項３】
基盤上に設けられる突起は、積み重ねられる基盤の位置決め用でもあり、基盤の底部に前記突起が挿入する係止孔を形成する請求項１または請求項２記載のタイル接着治具。
【請求項４】
弾性部材は目地部の長さ方向と直交する方向に付勢された山型形状の板バネで構成する請求項１記載のタイル接着治具。
【発明の詳細な説明】
【０００１】
【発明の属する技術分野】
本発明は、パネル上に複数のタイルを接着するための治具に関するものである。
【０００２】
【従来の技術】
複数のタイルが接着されたアルミニウムパネルは、例えば建物外装に用いる建材として使用されるが、このようなパネル上にタイルを接着するには、千鳥状に配列するなど所定の配列に配置する必要がある。かかる所定の配列にタイルを位置させるには、従来は、たとえばパネル上の目地部に対応する箇所に糸などの線材を張設し、これに添ってパネルを配置し、接着剤などを使用してパネル上にタイルを接着し、そのままの状態で乾燥させ養生している。
【０００３】
【発明が解決しようとする課題】
タイルは例えば石材で構成されることから、大きさにはバラツキがあり、パネルに貼り合わせる際は養生前に目視で目地部の調整を行う必要があり、作業に手間を要して作業性がよくなかった。また、貼り合わせる作業を自動化しても、タイルの大きさにバラツキがあるため、正規の位置に配列されているかなどの養生前の検査は人が行う必要があり、自動化の実効性が十分には得にくい。
【０００４】
かかる不都合を解消するにはタイルの寸法精度を上げればよいが、現実問題としてこれには限界があり、仮に精度を上げられたとしてもコストアップとなってしまう。また、現状の製品のままで規格にあっているかの選別を厳しくした場合も歩留りが低下し、やはりコストアップとなる。
【０００５】
また、養生の際、乾燥機を使用する場合、乾燥風などでタイルの位置がずれてしまうと、これを発見することができずにそのままの状態で乾燥が終了し製品として不良のものになってしまうおそれがある。そして、目地幅がずれたまま乾燥が終了したものは、その部分のタイルを壊し再度貼り直す作業を必要として生産効率のよくないものになる。
【０００６】
かかる不都合を解消するため養生中、タイルを機械的に押さえつけることは可能であるが、押さえの力が強すぎるとタイルが破損したり、接着剤がタイルの際からはみ出すなどの不都合が生じる。また、タイルの厚みにもバラツキがあり、全てのタイルを均等に押さえることは困難である。
【０００７】
さらに、養生の際は、タイルが移動しないようこれを保護するために専用のラックなどを使用するため、タイルを貼着したパネルの段重ねができず、大きなスペースを必要とする。また、薄板に貼着する場合は、定盤などの固定的な治具を別途必要とする。
【０００８】
本発明の目的は前記従来例の不都合を解消し、パネル上に複数のタイルを所定の配列で貼着する場合に、目地幅がずれることもなく、正規の所定位置に簡単かつ確実に配置できて、人手による目視で目地部を調整する必要もなく作業性が向上するとともに貼り合わせる作業を自動化した場合の実効性も向上でき、また、規格に大きく外れたタイルの発見も可能となり、さらに、養生の際にタイルが移動することも防止でき、薄板にタイルを貼着する場合に別途固定するための治具を必要とせず作業性のよいタイル接着治具を提供することにある。
【０００９】
【課題を解決するための手段】
本発明は前記目的を達成するため、第１に、上面に位置決め用の突起を有する基盤と、この基盤の上にネジなどで固定され上面にパネルが配置されるパネル位置決め部材と、タイルの配列に対応するタイル挿入孔を形成したタイル位置決め部材と、目地部に対応する箇所に位置させて前記タイル位置決め部材に適宜間隔で取り付けたタイル係止用の弾性部材とで構成され、前記タイル位置決め部材の側縁に切欠きを形成し、この切欠きに前記突起を係止してパネル位置決め部材に被せるようにして、パネルが配置されている基盤上にタイル位置決め部材をセットすることを要旨とするものである。
【００１０】
第２に、タイル位置決め部材は、積み重ね可能な基盤上に取り付けたパネル位置決め部材上に配設されることを要旨とするものである。
【００１１】
第３に、基盤上に設けられる突起は、積み重ねられる基盤の位置決め用でもあり、基盤の底部に前記突起が挿入する係止孔を形成することを要旨とするものである。
【００１３】
第４に、弾性部材は目地部の長さ方向と直交する方向に付勢された山型形状の板バネで構成することを要旨とするものである。
【００１４】
請求項１記載の本発明によれば、タイル挿入孔にタイルを挿入するだけで所定の配列位置にタイルを正規に配置でき、この際、係止用の弾性部材でタイルを側方から押圧係止するから、所定の目地幅を確保して目地を基準とした中心振り分けができるから、所定位置にタイルを係止できるのみならず、養生時に乾燥風でタイルがずれることもない。また、タイル挿入孔にタイルを挿入する際に、規格を大きく外れたタイルの発見も容易に行え、正規の位置に確実にタイルを配置できるからタイル貼着を自動化した場合の実効性も確保できる。
【００１７】
そして、タイル位置決め部材の側縁に、突起が係止する切欠きを形成したから、この切欠きに突起を係合するようにしてタイル位置決め部材を基盤上に配設するだけで所定の正規位置にタイル位置決め部材をセットできる。
【００１５】
請求項２記載の本発明によれば、前記作用に加えて、パネル位置決め部材およびパネルは、積み重ね可能な基盤上に取り付けたから、養生乾燥時に段積みができ、省スペース化が図れる。
【００１６】
請求項３記載の本発明によれば、前記作用に加えて、基盤に設けた突起を係止孔に挿入することで上下に段積みした基盤を相互に結合できる。また、この突起はタイル位置決め部材の位置決め用の突起を兼用するから、タイル位置決め部材を基盤上の所定位置に配置できる。
【００１８】
請求項４記載の本発明によれば、前記作用に加えて、弾性部材は目地部の長さ方向と直交する方向に付勢された山型形状の板バネで形成したから、タイルをタイル挿入孔に挿入してパネル上に置くだけで、目地部を基準にしてバネの弾力で自動的にタイルの中心振り分けが可能となる。
【００１９】
【発明の実施の形態】
以下、図面について本発明の実施の形態を詳細に説明する。図１は本発明のタイル接着治具の実施形態を示す平面図、図２は同上側面図で、本発明のタイル接着治具は主たる構成要素としては、複数の石材などによるタイル１が接着されるアルミニウムなどを材質とするパネル２などの基材の上に着脱自在に装着され、タイル１の配列に対応するタイル挿入孔３を形成したタイル位置決め部材４と、目地部９に対応する箇所に位置させて前記タイル位置決め部材４に適宜間隔で取り付けたタイル係止用の弾性部材であるバネ５とで構成する。
【００２０】
タイル位置決め部材４は、図１に示すように矩形の主枠６ａの内側に縦横方向に仕切り枠６ｃを設け、この仕切り枠６ｃで囲まれた部分の空所をタイル挿入孔３とする。この場合、仕切り枠６ｃは、配列されるタイル１の目地部９に対応する箇所に設け、タイル挿入孔３はタイル１の所定の配列に対応する箇所に形成される。この場合、タイル挿入孔３の大きさはタイル１の最大公差を見込んだものにする。
【００２１】
主枠６ａおよび仕切り枠６ｃの下面にタイル係止用の弾性部材であるバネ５を適宜間隔で複数個取り付ける。このバネ５は図２〜図５にも示すように目地部９の長さ方向と直交する方向に付勢された山型形状の板バネで構成するものであり、目地部９の両側に配列されるタイル１の側部を先端が押圧するようにバネ本体５ａが位置決められ、対向するバネ本体５ａの幅は、規定目地幅にタイル１の公差分をプラスした幅とする。
【００２２】
そして、図１に示すように前記タイル位置決め部材４の矩形の主枠６ａの前後の枠を下方に垂直に折り曲げ、その先端をさらに水平に折り曲げてフランジ部６ｂに形成し、このフランジ部６ｂの側縁に後述の突起に係止する半円形状の切欠き７を適宜間隔で複数、図示の例では２個設けた。
【００２３】
図中10は前記タイル位置決め部材４がセットされる基盤を示し、該基盤10は上面の前後側部寄りに、該基盤10を積み重ねた時の結合用の突起11を適宜間隔で複数個、図示の例では２個突設し、下方に内向きの水平フランジ部10ａを形成し、該水平フランジ部10ａに前記突起11が挿入する係止孔12を形成する。
【００２４】
この基盤10の上面にパネル位置決め部材13をネジなどで固定する。パネル位置決め部材13は上面をパネル２の載置板に形成し、下部に外向きの水平フランジ部を突出したもので、この水平フランジ部が基盤10の上に結合される。このパネル位置決め部材13は、タイル位置決め部材４よりも一回り小さいサイズに形成し、タイル位置決め部材４を基盤10の上にセットしたとき、タイル位置決め部材４の内側にこれと多少離間して配置されるように構成する。
【００２５】
次にパネル２にタイル１を接着する方法を説明する。基盤10の上にパネル位置決め部材13をネジで固定し、このパネル位置決め部材13の上にパネル２を置き、該パネル２の表面に規定量の接着剤14を均一に塗布する。
【００２６】
このようにしてパネル２をセットしたパネル位置決め部材13を取り付けた基盤10を養生する場所に予め搬入し、既に養生中の基盤10に設けてある突起11を搬入した基盤10に形成してある係止孔12に挿入して、基盤10を積み重ねる。
【００２７】
この状態で、タイル位置決め部材４に形成してある切欠き７を基盤10上の突起11に係合して、基盤10上のパネル位置決め部材13に被せるようにしてタイル位置決め部材４をセットする。
【００２８】
そして、タイル位置決め部材４に形成してあるタイル挿入孔３にタイル１を上方から押し込み、パネル２上に置けば、接着剤14によりタイル１はパネル２に接着される。このとき、図３〜図５に示すようにタイル１は前後左右両側をバネ５で押圧され、バネ５の有する弾力による振り分け機能によって目地部９を中心にして前後左右に押圧され、正規の位置に配置される。これにより、正規の位置に正規の幅で目地部９が形成される。
【００２９】
また、正規の規格に大きく外れたタイル１はタイル挿入孔３への挿入が不可となり、この時点で規格外れのタイル１を容易に発見できる。また、タイル位置決め部材４によって所定の正規位置にタイルを配列できるから、パネル２に自動的にタイル１を貼着する場合に有効的である。
【００３０】
かかる工程を繰り返して規定数量のタイル１をパネル２に貼着したならば、このままの状態で養生（乾燥）を行う。乾燥終了後、タイル位置決め部材４を引き上げ、パネル２をパネル位置決め部材13から引き上げて外せば、規定数量のタイル１を所定の配列で接着したパネル２が得られる。
【００３１】
この養生中、タイル１はタイル位置決め部材４のバネ５で所定位置に保持されるから、多少の衝撃や乾燥風などでタイル１がずれることはない。また、基盤10は図６に示すように積層可能であるから、養生に要するスペースが僅かで足りる。さらに、パネル位置決め部材13が定盤の役割を果たし、薄板への接着も容易に行える。
【００３２】
【発明の効果】
以上述べたように本発明のタイル接着治具は、パネル上に複数のタイルを所定の配列で貼着する場合に、タイルの配列に対応するタイル位置決め部材でタイルをパネル上に保持するから、目地幅がずれることもなく、正規の所定位置に簡単かつ確実に配置できて、人手による目視で目地部を調整する必要もなく作業性が向上する。また、タイル位置決め部材の使用により、タイルを貼り合わせる作業を自動化した場合の実効性も向上でき、規格に大きく外れたタイルの発見も可能となり、さらに、養生の際にタイルが移動することも防止でき、薄板にタイルを貼着する場合に別途固定するための治具を必要とせず作業性のよいものである。
【図面の簡単な説明】
【図１】本発明のタイル接着治具の実施形態を示す平面図である。
【図２】本発明のタイル接着治具の実施形態を示す側面図である。
【図３】本発明のタイル接着治具の実施形態を示す要部であるバネ部分の平面図である。
【図４】本発明のタイル接着治具の実施形態を示す要部であるバネ部分の縦断正面図である。
【図５】本発明のタイル接着治具の実施形態を示す要部であるバネ部分の正面図である。
【図６】本発明のタイル接着治具の実施形態を示す積層状態の側面図である。
【符号の説明】
１…タイル                      ２…パネル
３…タイル挿入孔                ４…タイル位置決め部材
５…バネ                        ５ａ…バネ本体
６ａ…主枠                      ６ｂ…フランジ部
６ｃ…仕切り枠                  ７…切欠き
９…目地部                      10…基盤
10ａ…水平フランジ部            11…突起
12…係止孔                      13…パネル位置決め部材
14…接着剤
【図１】
0003583752.tif 000002
【図２】
0003583752.tif 000003
【図３】
0003583752.tif 000004
【図４】
0003583752.tif 000005
【図５】
0003583752.tif 000006
【図６】
0003583752.tif 000007